(57)【特許請求の範囲】
【請求項１】
前面が全部開口部に形成された縦長のロッカー筐体の内部を、上，下位の水平壁と両水平壁を繋ぐ垂直壁であって当該内部の有効高さの略１／３より長い程度の垂直壁を備えて正断面形状が略クランク状をなす仕切板で仕切って２分すると共に、２分された収納部に対する扉を、それぞれに前記開口部に設けたロッカーにおいて、前記仕切板の上位の水平壁を垂直壁からオーバーハングさせて設けると共に、当該仕切り板によって２分された上位の分割収納部におけるロッカー筐体の内部側壁面の上方と当該内部側壁面に対向した前記仕切板の垂直壁であって前記上位の水平壁の直下とに、それぞれフック状の係止部材を設けたことを特徴とするロッカー。
【請求項２】
２分された収納部に対する２枚の扉のそれぞれの裏面に、履物を収納する履物ポケットと、Ａ４サイズなどの書類を収納する書類ポケットを設けた請求項１のロッカー。
【発明の詳細な説明】
【技術分野】
【０００１】
本発明は設置スペース効率を高めることができると共に、物品の収納性にも工夫を施したロッカーに関する。
【背景技術】
【０００２】
従来より、多数の人が使用するロッカーの設置スペース効率を高めるために、本来は１人用のロッカー筐体の内部を２分すると共に、本来は１枚構成の扉を、２分した前記筐体開口部の正面形状に合せて２分した扉形状とすることにより、本来は１人用のロッカーを２人用に形成（以下、このようなロッカーを説明の便宜上「異形ロッカー」という）が、特許文献１，２などによって知られている。
【０００３】
上記の異形ロッカーは、本来は１人用の収納部を２分して２人用としているため、物品の収納性や出入れ性が多少とも窮屈になり、例えば大型バッグを収納できない乃至は収納し難いなど使い勝手の面で良好なものとはいえないものもあった。
【特許文献１】特開２００６−１２９９１９号公報
【特許文献２】特許第２８２７７４９号公報
【発明の開示】
【発明が解決しようとする課題】
【０００４】
そこで本発明では、上記のような異形ロッカーにおける物品の収納性や出入れ性を改善することにより、かなり大型の荷物でも安定に収納することができ、また収納しようとする物品の種類が多くても、それに対応することができる収納部を備えた異形ロッカーを提供することを、その課題とする。
【課題を解決するための手段】
【０００５】
上記課題を解決することを目的としてなされた本発明ロッカーの構成は、前面が全部開口部に形成された縦長のロッカー筐体の内部を、上，下位の水平壁と両水平壁を繋ぐ垂直壁であって当該内部の有効高さの略１／３より長い程度の垂直壁を備えて正断面形状が略クランク状をなす仕切板で仕切って２分すると共に、２分された収納部に対する扉を、それぞれに前記開口部に設けたロッカーにおいて、前記仕切板の上位の水平壁を垂直壁からオーバーハングさせて設けると共に、当該仕切り板によって２分された上位の分割収納部におけるロッカー筐体の内部側壁面の上方と当該内部側壁面に対向した仕切板の垂直壁であって前記上位の水平壁の直下とに、それぞれフック状の係止部材を設けたことを特徴とするものである。
【０００６】
本発明ロッカーでは、上記構成において、２枚の扉のそれぞれの裏面に、２分された収納部に対する２枚の扉のそれぞれの裏面に、履物を収納する履物ポケットと、Ａ４サイズなどの書類を収納する書類ポケットを設けた構成を採ることができる。履物ポケットは、扉の左右幅が小さい部分の裏面に、上，下２段に設けると、履物の収納性や出入れ性が良好になる。
【０００７】
さらに、本発明ロッカーでは、２分された各収納部におけるロッカー筐体の内部側面と当該内部側面に対向した仕切板の垂直壁にフック状の係止部材を設けた構成とすることもできる。対向する両面にフック状の係止部材を設けたことにより、上衣等の衣服を掛けたハンガーを少なくとも２個収納することが可能になる。
【発明の効果】
【０００８】
本発明は、いわゆる異形ロッカーを、前面が全部開口部に形成された縦長のロッカー筐体の内部を、上，下位の水平壁と両水平壁を繋ぐ垂直壁を備えて正断面形状が略クランク状をなす仕切板で仕切って２分すると共に、２分された収納部に対する扉を、それぞれに前記開口部に設けたロッカーにおいて、前記仕切板の上位の水平壁を垂直壁からオーバーハングさせて設けると共に、２分された収納部に対する２枚の扉のそれぞれの裏面に、履物を収納する履物ポケットと、Ａ４サイズなどの書類を収納する書類ポケットを設け、さらに、２分された各収納部におけるロッカー筐体の内部側面と当該内部側面に対向した仕切板の垂直壁にフック状の係止部材を設けて形成したので、この種の異形ロッカーにおける収納性や出入れ性を大幅に改善することができる。
【発明を実施するための最良の形態】
【０００９】
次に、本発明ロッカーの実施の形態例を、図を参照しつつ説明する。
図１は本発明ロッカーの一例の正面図、図２は図１のロッカーの右側面図である。
【００１０】
図１において、１は、前面が縦長に開口した収納部が左右方向に３個連設されたロッカーの筐体で、共用する天壁２と底壁３及び左右外側の側壁４，５を具備すると共に、２枚の中間仕切壁６，７を備えて形成されている。
【００１１】
上記筐体１が備えた上記各構成（各壁２〜７）は、左右の側壁４，５と中間仕切壁６，７で仕切られた３つの収納部がそれぞれ１人用の収納部として機能する従来型の通常ロッカーの構成と共通している。
【００１２】
本発明ロッカーは、上記の通常型ロッカーの各収納部（３つの収納部）を、仕切板８によって２つに仕切り、こうして１つの収納部が仕切られて形成される２つの空間を、２人用の収納部として使用するいわゆる異形ロッカーである。
【００１３】
本発明ロッカーは、上記３つの各収納部が同一の仕切り構成を具備して形成されているので、以下の説明は、図１の１つの収納部における仕切り構成について行う。従って、残りの２つの収納部も、以下に説明する１つの収納部と同一の仕切り構成を具備したものである。
【００１４】
上記の各収納部に設けられた仕切板８は、当該収納部の有効高さの略１／３より長い程度の垂直壁8aと、該垂直壁8aの上端部と下端部に配設した上位の水平壁8bと下位の水平壁8cを備えている。
【００１５】
仕切板８は、上記構成によってその正断面形態が大略クランク状を呈しており、従って、その垂直壁8aは、１つの収納部を左右で２等分する位置に位置付けられ、また、上位の水平壁8bが右側の中間仕切壁６に、下位の水平壁8cが左側の側壁４の内面に、それぞれ当接して結合されている。
【００１６】
上記の仕切板８の１つの収納部に対する配設によって、当該１つの収納部は、正面から見て点対称な関係になる２分された収納部の形態になる。
【００１７】
本発明ロッカーでは、上位の水平壁8bを垂直壁8aからオーバーハング8dさせた形態で設けている。オーバーハング8dさせると、図１に示したロッカーの右側の収納部に点線で示したように、例えば大型のキャリーバッグCBのように、オーバーハングしない上位の水平壁8aの平面形状より平面投影形状が大きい物品を、その下面から安定に支持するので、大きい荷物でも楽に収納することができる。
【００１８】
仕切板８により２分された各収納部における夫々の分割収納部には、その正面からの輪郭（外郭）に沿った外形の扉９，10が、それぞれ外ヒンジで、つまり、図の左側の収納部では外壁４と中間仕切壁６とにヒンジを取付けて設けられる。換言すれば、分割された各収納部に取付けられる扉９と10は、いわゆる観音開き態様で設けられている。
【００１９】
上記の２枚の扉９，10は、もとの収納部の左右幅に見合った幅を有する広幅部分と、縦方向に２分された収納部の左右幅に見合った幅を有する狭幅部分とから成る。
【００２０】
本発明では、各扉９，10の広幅部分の裏面に、一例としてＡ−４サイズのファイル等の収納が可能な書類ポケット11を設ける一方、狭幅部分の裏面に靴Shなどの履物を収納できる履物ポケット12を、この例のように上，下２段に設けることにより、ロッカーとしての収納性を効率よく高めている。上記の書類ポケット11は、側方又は上方から書類の出入れができる開口部を備えているが、上位の扉９の書類ポケット11は側方に開口部を備え、下位の扉10の書類ポケット11は上方に開口部を備えたものが、書類の出入れの上で都合がよい。いずれの側に開口部を設定するかは任意である。これらの構成によって、各扉９，10の裏面を有効利用した収納部に形成することができ、また、これらの収納部への物品の出入れも扉９，10を開けてから行うので、出入れ性も良好である。
【００２１】
また、本発明では２分した各収納部における仕切板８と該仕切板８に対面する側壁４や同５の内面、或は、中間仕切壁６や同７の表面に、対向する向きで係止部材の一例として被服ハンガーｈ用のフック13，14を設けた。２分された収納部のうち上位の収納部のフック13は、当該収納部の上方に設けたので、長い服でもハンガーｈに掛けて収納することができ、オーバーハング8dの下に設けたフック14は、前記フック13の下方にあるので短か目の衣服の収納に便利である。この構成により左右幅が狭い収納部であっても、上衣等の被服をハンガーｈに掛け、当該ハンガーｈをフック13，14に係止することにより、長い衣服を含み少なくとも２枚の衣服を効率よく、かつ、スマートに収納することができる。
【００２２】
なお、本発明ロッカーにおける各扉９，10の表側には、通常ロッカーの扉と同様に、名詞（名札）入れを設け、また、施錠装置も適宜タイプのもの、例えば、シリンダー錠やカード錠、或は、テンキー式錠などが設けられている。
【産業上の利用可能性】
【００２３】
本発明は以上の通りであって、前面が全部開口部に形成された縦長のロッカー筐体の内部を、上，下位の水平壁と両水平壁を繋ぐ垂直壁を備えて正断面形状が略クランク状をなす仕切板で仕切って２分すると共に、２分された収納部に対する扉を、それぞれに前記開口部に設けたロッカーにおいて、前記仕切板の上位の水平壁を垂直壁からオーバーハングさせて設けたことにより、いわゆる異形ロッカーを構成したから、設置スペース効率を高めた上に、物品の収納性，出入れ性が良好なロッカーを提供することができる。
【図面の簡単な説明】
【００２４】
【図１】本発明ロッカーの一例の正面図。
【図２】図１のロッカーの右側面図。
【符号の説明】
【００２５】
１        ロッカーの筐体
２        天壁
３        底壁
４，５    左右の側壁
６，７    中間仕切壁
８        仕切板
8a        垂直壁
8b        上位の水平壁
8c        下位の水平壁
９，10    扉
11        書類ポケット
12        履物ポケット
13，14    フック
【図１】
0005069533.tif 000002
【図２】
0005069533.tif 000003